(57)【特許請求の範囲】
【請求項１】
石膏ボード製壁面に、複数本のピン材を用いて取り付ける掛け具において、
操作部の裏面側に少なくとも２本以上の上記ピン材の基端部が固定されるとともに、上記ピン材の先端部が当該操作部の裏面側から互いに平行に突出したピン取付部材と、
裏面側が上記石膏ボード製壁面に当接されるとともに、表面側の上記ピン材の先端部と相対する位置に孔が形成された指向性ガイド部材とを有し、
上記指向性ガイド部材の上記孔は、上記表面側の上記ピン材の先端部と相対する位置から外方に向かって傾斜して、上記裏面側に貫通するように穿設され、かつ当該指向性ガイド部材の上記表面側には、上記ピン取付部材の上記操作部が挿入される筒状部が形成され、
上記操作部の上記裏面側であって、各々の上記ピン材の間には、スリットが形成されていることを特徴とする掛け具。
【請求項２】
上記ピン取付部材の上記操作部には、上記ピン材の基端部を着脱自在に取り付ける取付機構が備えられていることを特徴とする請求項１に記載の掛け具。
【発明の詳細な説明】
【技術分野】
【０００１】
本発明は、石膏ボード製壁面に複数本のピン材を用いて取り付ける掛け具に関するものである。
【背景技術】
【０００２】
従来から、家庭内の整理用品として、壁面などに取り付けて使用されるフック部材などがある。このフック部材は、釘やビスまたは粘着剤などを用いて、柱や壁などに固定し、小物などを吊りして使用する。また、釘やビスが通らない堅い壁面や水回りのタイルなどにおいては、簡単に取り付けられる吸着盤が用いられている。
【０００３】
ところで、最近の住宅においては、壁材に石膏ボードが多く用いられている。この石膏ボードは、軽量で取り扱い易く、また安価に手に入ることができ、さらに防音性や耐火性にも優れた材料であるため、マンションや戸建の壁材として、広く普及してきている。
【０００４】
しかし、石膏ボードは、釘を打ち付けた場合に、弾性が低く保持力が弱いため、直ぐに抜けてしまうという問題がある。また、石膏ボードは、無繊維質で非常に脆いために、太い釘を打ち付けると１箇所に応力が集中して、割れや欠けが発生したり、酷い場合には崩れてしまうという問題もある。さらに、太い釘を抜いた後には、当該釘と同形状の穴が形成されてしまうため、この穴の周縁から割れが進行するという問題も生じる。
【０００５】
また、石膏ボードには、表面の剥がれ落ちを防止する目的で、通常壁紙などが貼られているため、粘着剤で固着するタイプのフック部材を使用した場合には、フック部材を壁面から外す際に、壁面に粘着剤が残ってしまったり、壁紙が剥がれしまったりするため、壁紙を補修しなければならないという問題がある。
【０００６】
そこで、下記特許文献１のように、基盤体の表面に椀状の窪み部を形成し、該窪み部の内周斜面から裏側に向けて斜めに貫通する複数の指向性ガイド孔を穿設し、該ガイド孔に挿入した釘が基盤体の裏側にて四方に放射状に拡開するように設定するとともに、該各釘の頭部を押止するキャップを該窪み部中に嵌着し得るように構成した石膏ボードなどの壁面への物品固定構造が提案されている。
【０００７】
この従来例である石膏ボードなどの壁面への物品固定構造は、基盤体に形成された複数の指向性ガイド孔に釘を挿入し、石膏ボードなどの壁面に打ち付けることによって、当該釘を放射状に拡開させ、応力が１箇所に集中することを防いで被固定物を固定する構造のものである。このように、複数の細い釘を複数本を打ち付けてることによって、弾性の低い石膏ボードの壁面でも釘が抜けることなく強固に固定することができる。また、無繊維質で脆い石膏ボードでも、打ち付けた釘を取り外す際に、壁面の破損を防ぐことができる。
【先行技術文献】
【特許文献】
【０００８】
【特許文献１】特開２００２−１６８２１０号公報
【発明の概要】
【発明が解決しようとする課題】
【０００９】
ところが、この従来例である石膏ボードなどの壁面への物品固定構造は、比較的細い釘を基盤体の指向性ガイド孔に挿入し、壁面に一本一本打ち付けていかなければならないため、釘を打ち付けるのに慣れていないと、上手く打ち付けることができず手間取ってしまい、取り付けに時間が掛かってしまうという問題がある。
【００１０】
また、釘が細いため、打ち付ける際に途中で曲がってしまい、打ち付けることが困難になってしまったり、また釘を落としてしまうと、隙間などの狭い場所に入ってしまい、無くなってしまうこともある。そのため、新しい釘を事前に数本用意するか、細心の注意を払って釘を取り扱わなければならず、取り付けに手間が掛かるという問題もある。
【００１１】
本発明は、かかる事情に鑑みてなされたもので、複数本の比較的細いピン材を簡便に石膏ボードに打ち付けることができ、かつピン材を拡開して固定することができる掛け具を提供することを課題とするものである。
【課題を解決するための手段】
【００１２】
上記課題を解決するために、請求項１に記載の発明は、石膏ボード製壁面に、複数本のピン材を用いて取り付ける掛け具において、操作部の裏面側に少なくとも２本以上の上記ピン材の基端部が固定されるとともに、上記ピン材の先端部が当該操作部の裏面側から互いに平行に突出したピン取付部材と、裏面側が上記石膏ボード製壁面に当接されるとともに、表面側の上記ピン材の先端部と相対する位置に孔が形成された指向性ガイド部材とを有し、上記指向性ガイド部材の上記孔は、上記表面側の上記ピン材の先端部と相対する位置から外方に向かって傾斜して、上記裏面側に貫通するように穿設され、かつ当該指向性ガイド部材の上記表面側には、上記ピン取付部材の上記操作部が挿入される筒状部が形成され、上記操作部の上記裏面側であって、各々の上記ピン材の間には、スリットが形成されていることを特徴とするものである。
【００１３】
また、請求項２に記載の発明は、請求項１に記載の発明において、上記ピン取付部材の上記操作部には、上記ピン材の基端部を着脱自在に取り付ける取付機構が備えられていることを特徴とするものである。
【発明の効果】
【００１５】
請求項１〜２に記載の本発明によれば、ピン取付部材の操作部の裏面側に、少なくとも２本以上の上記ピン材の基端部が一体的に固定されているため、複数本の上記ピン材を一度に上記石膏ボード製壁面に挿入、または引き抜くことができる。この結果、上記掛け具の取り付けまたは取り外しを容易に行うことができるとともに、細い複数本の上記ピン材を用いることにより、応力が１箇所に集中することを防ぎ、無繊維質で脆い上記石膏ボード製壁面の割れや欠け、または崩れなどの破損を防ぐことができる。
【００１６】
また、指向性ガイド部材は、上記ピン材が挿入される孔が、上記表面側の上記ピン材の先端部と相対する位置から外方に向かって傾斜して、上記裏面側に貫通するように穿設されているため、上記操作部の裏面側から互いに平行に突出している複数本の上記ピン材を、容易に当該指向性ガイド部材の上記孔に挿入することができるとともに、上記ピン材を当該孔をガイドとして湾曲させて、上記石膏ボード製壁面内に挿入することができる。この結果、複数本の上記ピン材が上記石膏ボード製壁面内において、上記ピン材自体の弾性により、元に戻る力と、複数本の上記ピン材が拡開することにより、弾性が低く保持力の弱い上記石膏ボード製壁面に、上記掛け具を強固に固定することができる。
【００１７】
さらに、上記操作部の裏面側には、各々の上記ピン材の間に、上記ピン材の拡開を助成するスリットが形成されているため、上記指向性ガイド部材の傾斜した上記孔に沿って、上記ピン材を挿入する際に、各々の上記ピン材が湾曲するのに伴って、当該スリットを中心に上記操作部の裏面側を外方に変形させることができる。これにより、上記ピン材や上記操作部に加わる力を軽減させ、上記ピン材や上記操作部の破損を防止することができるとともに、無繊維質で脆い上記石膏ボード製壁面の割れや欠けなどを防止することができる。
【００１８】
請求項２に記載の発明によれば、上記ピン取付部材の上記操作部に、上記ピン材の基端部が着脱自在に取り付けられる取付機構を備えているため、上記ピン取付部材を壁面から繰り返し、取り付け取り外しを行うことによって、上記ピン材が曲がってしまっても、新しい上記ピン材に交換することができる。この結果、上記掛け具を長期間に亘って利用することができる。
【００１９】
請求項１に記載の発明によれば、上記指向性ガイド部材の表面側に、上記ピン取付部材の上記操作部が挿入される筒状部を形成しているため、上記操作部に設けられている上記取付機構を固定することができる。これにより、上記ピン取付部材の上記ピン材を壁面に挿入する際に、上記ピン材に無理な力が掛かっても、上記ピン材が上記操作部から外れることを防止することができる。
【図面の簡単な説明】
【００２０】
【図１】本発明の掛け具の一実施形態を示す斜視図である。
【図２】本発明の掛け具の一実施形態を示し、（ａ）〜（ｃ）はピン取付部材を指向性ガイド部材に挿入する状態を示す斜視図である。
【図３】本発明の掛け具の一実施形態を示し、（ａ）〜（ｃ）はピン取付部材を指向性ガイド部材に挿入し、さらに石膏ボード製壁面に挿入する状態を示す断面図である。
【図４】本発明の掛け具の一実施形態のピン取付部材を示す斜視図である。
【図５】本発明の掛け具の一実施形態のピン取付部材を示し、（ａ）〜（ｅ）は操作部の取付機構にピン材を取り付ける状態を示す右側面図である。
【発明を実施するための形態】
【００２１】
図１に示すように、本発明の掛け具１は、フック部９が一体に形成された指向性ガイド部材５と、操作部３の裏面側３ａから突出した２本のピン材４が設けられたピン取付部材２とを備え概略構成されている。
【００２２】
ここで、ピン取付部材２は、合成樹脂製の逆凸状の操作部３と２本のピン材４とにより構成されている。操作部３は、表面側３ｂが円板状のフランジ３ｃに形成され、このフランジ３ｃから下方に角柱部が形成されている。この角柱部は、４つの角部が円弧状に形成されている。また、ピン材４は、ステンレスにより形成され、基端部４ａにフランジ状の頭部が形成され、先端部４ｂに尖端部が形成されている。ちなみにピン材４は、長さ寸法が５０〜６０ｍｍ、径寸法が１〜１．２ｍｍである。
【００２３】
また、操作部３の裏面側３ａには、ピン材４の基端部４ａが各々固定され、先端部４ｂが裏面側３ａから２本が平行に突出している。この平行する２本のピン材４は、操作部３の裏面側３ａの中心部から等間隔の位置に固定されているとともに、上記角柱部の一側面に平行に配設されている。そして、裏面側３ａの２本のピン材４の間には、スリット７が形成されている。このスリット７は、凹状に形成され、操作部３の裏面側３ａの中心部を通り、２本のピン材４と垂直に操作部３の裏面側３ａの一端縁から、他端縁に亘って切削されている。
【００２４】
そして、ピン取付部材２は、図４に示すように、操作部３の上記角柱部の一側面に、ピン材４を着脱自在に取り付ける取付機構８が形成されている。この取付機構８は、２本のピン材４と平行に、かつ操作部３の裏面側を支点に開閉する開閉蓋８ａと、この開閉蓋８ａを開いた操作部３側に、ピン材４の基端部４ａが納まる溝部８ｂとにより構成されている。この溝部８ｂは、ピン材４の基端部４ａのフランジ状の頭部の形状に相応して形成されている。また、開閉蓋８ａの上記支点側には、溝部８ｂに嵌合する凸部８ｃが形成されている。
【００２５】
さらに、指向性ガイド部材５は、図１に示すように、円筒状の合成樹脂によって形成されている。この指向性ガイド部材５の外周面には、フック部９が一体に形成されている。このフック部９は、指向性ガイド部材５の外周面の裏面側５ａの端部から、離反する方向に鈎状をなして形成されている。また、指向性ガイド部材５の内側は、凹状に形成されるとともに、側壁が筒状部５ｃをなしている。この筒状部５ｃは、内周面がピン取付部材２の操作部３の外周形状と略同一に形成されている。
【００２６】
また、指向性ガイド部材５の内側の底面（表面側）５ｂには、ピン取付部材２の２本のピン材４の相応する位置に、孔６が各々穿設されている。この孔６は、フック部９の鉛直線に垂直して２つの孔６が穿設され、かつ底面５ｂから裏面側５ａに貫通するとともに、各々の孔６が離反する方向に傾斜して形成されている。
【００２７】
以上の構成による本実施形態の掛け具１を、石膏ボード製壁面ｔに取り付けるには、まず、図１に示すように、操作部３の裏面側３ａに、２本のピン材４が平行に突出したピン取付部材２と、フック部９が一体に形成された指向性ガイド部材５を準備する。
【００２８】
次に、図２（ａ）に示すように、石膏ボード製壁面ｔに、指向性ガイド部材５の裏面側５ａを当接させるとともに、この指向性ガイド部材５の外周面に一体に形成されたフック部９を、鉛直方向の下方に位置させる。そして、ピン取付部材２の操作部３の裏面側３ａに突出した２本のピン材４を、指向性ガイド部材５の内側の底面５ｂ側に向けて、操作部３を指で石膏ボード製壁面ｔに対して垂直に押し込む。この際、図３（ａ）に示すように、操作部３の裏面側３ａから平行に突出２本のピン材４の先端部４ｂは、このピン材４と相対する位置に穿設された底面５ｂの孔６の位置から挿入される。
【００２９】
そして、図２（ｂ）に示すように、さらにピン取付部材２を石膏ボード製壁面ｔに対して垂直に押し込む。この時に、図３（ｂ）に示すように、２本のピン材４は、ピン取付部材２の操作部３の表面側３ｂを指で押すことにより、指向性ガイド部材５の底面５ｂから裏面側５ａに貫通する孔６の傾斜に沿って、各々が離反する方向に拡開して、石膏ボード製壁面ｔ内に挿入される。この時に、ピン取付部材２の操作部３の裏面側３ａに形成されたスリット７によって、拡開するピン材４に付加される力が緩和する。
【００３０】
さらに、図２（ｃ）に示すように、ピン取付部材２の操作部３を石膏ボード製壁面ｔに押し込み、操作部３の表面側３ｂのフランジ３ｃを、指向性ガイド部材５の筒状部５ｃに当接させる。これにより、２本のピン材４は、図３（ｃ）に示すように、拡開して石膏ボード製壁面ｔに挿入されるとともに、石膏ボード製壁面ｔ内において、２本のピン材４は、その弾性によって戻ろうとする方向に力が働き、ピン材４が抜けずに、掛け具１が石膏ボード製壁面ｔに固定される。
【００３１】
また、操作部３が指向性ガイド部材５の筒状部５ｃ内に挿入される際に、操作部３の裏面側３ａに形成されたスリット７の作用によって、操作部３の裏面側３ａの側壁が、筒状部５ｃの内壁に押し当てられて、ピン取付部材２と指向性ガイド部材５とが嵌合される。さらに、操作部３の壁面に形成された開閉蓋８ａは、筒状部５ｃ内で固定されるとともに、拡開によってピン材４に力が加わっても開いくことがない。
【００３２】
そして、掛け具１を他の場所に付け替える場合には、石膏ボード製壁面ｔに固定されている図２（ｃ）の状態から、操作部３の表面側５ｂの円板状のフランジ３ｃを指で摘み、石膏ボード製壁面ｔから引き抜いて、石膏ボード製壁面ｔに固定されていたピン取付部材２と指向性ガイド部材５とを取り外し、新たに取り付ける石膏ボード製壁面ｔに上記要領で取り付ける。
【００３３】
さらに、ピン取付部材２を指向性ガイド部材５を介して、石膏ボード製壁面ｔに繰り返し取り付け、および取り外しを行う過程において、ピン材４が曲がってしまったり、折れてしまったりした場合には、図４に示すように、取付機構８の開閉蓋８ａを開いて、新しいピン材４に交換することができる。この交換方法としては、まず操作部３の側面に設けられている開閉蓋８ａを開き、破損したピン材４を取り外す。
【００３４】
次いで、図５（ａ）に示すように、開閉蓋８ａを開いた状態のまま、操作部３の表面側３ｂからピン材４の基端部４ａを溝部８ｂに挿入する。そして、図５（ｂ）に示すように、ピン材４の基端部４ａを操作部３の裏面側３ａより突出させる。さらに、ピン材４を操作部３の裏面側３ａより突出させ、ピン材４の先端部４ｂのフランジ状の頭部を溝部８ｂに挿入する。このときに、２本のピン材４は、操作部３の裏面側３ａから平行に突出される。
【００３５】
そして、図５（ｄ）および図５（ｅ）に示すように、開閉蓋８ａを回動させて閉める。この際、開閉蓋８ａのヒンジ部側に形成された凸部８ｃが、溝部８ｂに嵌合して、ピン材４が固定される。
【００３６】
上述の実施形態による掛け具１によれば、ピン取付部材２の操作部３の裏面側３ａに、２本のピン材４の基端部４ａが一体的に固定されているため、２本のピン材４を一度に石膏ボード製壁面ｔに、挿入または引き抜くことができる。この結果、掛け具１の取り付けまたは取り外しを容易に行うことができるとともに、細い２本のピン材４を用いることにより、応力が１箇所に集中することを防ぎ、無繊維質で脆い石膏ボード製壁面ｔの割れや欠け、または崩れなどの破損を防止することができる。
【００３７】
また、指向性ガイド部材５は、ピン材４が挿入される孔６が、表面側５ｂのピン材４の先端部４ｂと相対する位置から外方に向かって傾斜して、裏面側５ａに貫通するように穿設されているため、操作部３の裏面側３ａから互いに平行に突出している２本のピン材４を、容易に指向性ガイド部材５の孔６に挿入することができるとともに、この孔６をガイドとしてピン材４を湾曲させて、石膏ボード製壁面ｔに挿入することができる。この結果、２本のピン材４が石膏ボード製壁面ｔ内において、ピン材４自体の弾性によって働く元に戻る力と、２本のピン材４が拡開することにより、弾性が低く保持力の弱い石膏ボード製壁面ｔに、掛け具１を強固に固定することができる。
【００３８】
さらに、操作部３の裏面側３ａには、各々のピン材４の間に、ピン材４の拡開を助成するスリット７が形成されているため、指向性ガイド部材５の傾斜した孔６に沿って、ピン材４を挿入する際に、各々のピン材４が湾曲するのに伴って、スリット７を中心に操作部３の裏面側３ａを外方に変形させることができる。これにより、ピン材４や操作部３の破損を防止することができるとともに、無繊維質で脆い石膏ボード製壁面ｔの割れや欠けなどを防止することができる。
【００３９】
また、ピン取付部材２の操作部３に、ピン材４の基端部４ａが着脱自在に取り付けられる取付機構８を備えているため、ピン取付部材２を壁面から、繰り返し取り付けおよび取り外しを行うことによって、ピン材４が折れたりして破損しても、新しいピン材４に交換することができる。この結果、上記掛け具を長期間に亘って利用することができる。
【００４０】
そして、指向性ガイド部材５の表面側５ｂに、ピン取付部材２の操作部３を挿入する筒状部５ｃが形成されているため、操作部３に設けられているピン材４の交換の際に、回動自在に開閉する開閉蓋８ａを固定することができる。これにより、ピン取付部材２のピン材４を石膏ボード製壁面ｔに挿入する際に、ピン材４に無理な力が掛かった場合でも、ピン材４が操作部３から外れてしまうことを防止することができる。
【００４１】
なお、上記実施の形態において、操作部３の裏面側３ａに、２本のピン材４を突出させる場合のみ説明したが、これに限定されるものでなく、例えば、３本または４本用いても対応可能である。この場合に、指向性ガイド部材５の底面５ｂ側から裏面側５ａに貫通する孔６は、ピン材４が石膏ボード製壁面ｔ内において、放射状に拡開するように傾斜して穿設されるとともに、スリット７が操作部３の裏面側３ａの中心部から、各々のピン材４の間に形成される。
【産業上の利用可能性】
【００４２】
掛け具を石膏ボード製壁面に取り付ける際に利用することができる。
【符号の説明】
【００４３】
１  掛け具
２  ピン取付部材
３  操作部
３ａ  裏面側
３ｂ  表面側
４  ピン材
４ａ  基端部
４ｂ  先端部
５  指向性ガイド部材
５ａ  裏面側
５ｂ  底面（表面側）
５ｃ  筒状部
６  孔
７  スリット
８  取付機構
９  フック部
ｔ  石膏ボード製壁面
【図１】
0005471848.tif 000002
【図２】
0005471848.tif 000003
【図３】
0005471848.tif 000004
【図４】
0005471848.tif 000005
【図５】
0005471848.tif 000006